(57)【要約】【課題】書籍の真の所有者のみに電子書籍情報を配信するための電子書籍情報配信システムを提供する。【解決手段】電子書籍情報配信システムは、電子書籍情報を配信するサーバと、配信された前記電子書籍情報を受信する情報端末とで構成される電子書籍情報配信システムであって、前記情報端末は、書籍を特定するための情報の入力を行う書籍特定情報入力手段と、前記サーバから受信した書籍認証情報を出力する書籍認証情報出力手段と、前記書籍認証情報を含む書籍を撮像する撮像手段とを備え、前記サーバは、前記書籍特定情報に関連付けられた前記電子書籍情報を有する電子書籍情報保存手段と、前記情報端末から受信した前記書籍特定情報に基づき前記書籍認証情報を生成する書籍認証情報生成手段と、前記情報端末から受信した前記書籍認証情報を含む画像情報の画像認識を行う画像認識手段とを有する。【選択図】図１
2007108851.tif 000002
【特許請求の範囲】
【請求項１】
電子書籍情報を配信するサーバと、配信された前記電子書籍情報を受信する情報端末とで構成される電子書籍情報配信システムであって、
前記情報端末は、
書籍を特定するための書籍特定情報の入力を行う書籍特定情報入力手段と、
前記サーバから受信した書籍認証情報を出力する書籍認証情報出力手段と、
前記書籍認証情報を含む書籍を撮像する撮像手段とを備え、
前記サーバは、
前記書籍特定情報に関連付けられた前記電子書籍情報を有する電子書籍情報保存手段と、
前記情報端末から受信した前記書籍特定情報に基づき前記書籍認証情報を生成する書籍認証情報生成手段と、
前記情報端末から受信した前記書籍認証情報を含む画像情報の画像認識を行う画像認識手段と
を有することを特徴とする電子書籍情報配信システム。
【請求項２】
前記情報端末は他の情報端末と通信を行う端末間通信手段をさらに有し、
受信した前記電子書籍情報を前記端末間通信手段によって前記他の情報端末に送信することを特徴とする請求項１に記載の電子書籍情報配信システム。
【請求項３】
前記書籍認証情報は、前記書籍特定情報および時刻に基づいて生成される二次元コードおよび書籍の特定のページ指定であり、
前記撮像手段は、前記ページ指定により指定された書籍のページに前記二次元コードを含む画像を撮像することを特徴とする請求項１に記載の電子書籍情報配信システム。
【請求項４】
前記サーバは時間管理手段をさらに有し、
前記書籍認証情報生成手段による前記書籍認証情報の生成と、前記画像認識手段による画像認識が所定の時間内に行われない場合は電子書籍情報の配信を行わないことを特徴とする請求項１に記載の電子書籍情報配信システム。
【請求項５】
前記サーバはインターネットに接続するためのネットワーク接続手段および前記電子書籍情報を暗号化する暗号化手段をさらに有し、
暗号化された前記電子書籍情報を前記情報端末に対して配信し、
暗号解除鍵を前記ネットワーク接続手段によって配信することを特徴とする請求項１に記載の電子書籍情報配信システム。
【請求項６】
電子書籍情報を配信するサーバと、配信された前記電子書籍情報を受信する情報端末とで構成される電子書籍情報配信システムにおいて、
書籍を特定するための情報の入力を行う書籍特定情報入力ステップと、
前記書籍特定情報に基づき前記書籍認証情報を生成する書籍認証情報生成ステップと、
前記書籍認証情報を出力する書籍認証情報出力ステップと、
前記書籍認証情報を含む書籍を撮像する撮像ステップと
を有することを特徴とする電子書籍情報配信方法。
【請求項７】
サーバから配信される電子書籍情報を受信する情報端末であって、
書籍を特定するための情報の入力を行う書籍特定情報入力手段と、
前記サーバから受信した書籍認証情報を出力する書籍認証情報出力手段と、
前記書籍認証情報を含む書籍を撮像する撮像手段と
を備えていることを特徴とする情報端末。
【請求項８】
電子書籍情報を他の情報端末に配信するサーバであって、
書籍特定情報に関連付けられた前記電子書籍情報を有する電子書籍情報保存手段と、
前記他の情報端末から受信した前記書籍特定情報に基づき書籍認証情報を生成する書籍認証情報生成手段と、
前記他の情報端末から受信した前記書籍認証情報を含む画像情報の画像認識を行う画像認識手段と
を有することを特徴とする電子書籍情報配信サーバ。
【発明の詳細な説明】
【技術分野】
【０００１】
本発明は、電子書籍情報配信システム、方法、情報端末、及び電子書籍情報配信サーバに関し、特に電子化された書籍情報を書籍所有者に対して配信するためのシステム、方法、装置に関する。
【背景技術】
【０００２】
コンテンツのデジタル化が進み、写真、音楽、映画を始めあらゆるコンテンツが電子化されつつある。書籍とて例外ではなく、文字や挿絵をデジタルデータとして表現し、PC、PDA、携帯電話または専用端末等で閲覧する所謂電子書籍が普及しつつある。電子書籍はデータを含むICカードやCD-ROMにより、又はネットワーク等の通信回線を通じてオンラインで配布・配信される。特に電子データの利点を活かしたオンライン配信は、本屋に行って選ぶ必要なしに電子書籍を入手できる手軽さから、電子書籍の配布・配信方法として一般化している。
【０００３】
一方で、紙の書籍には“読み易さ”“閲覧性の高さ”“モノの所有感”等、電子書籍にはない利点もあり、多くのユーザは電子書籍だけでなく、今後も紙の書籍も購入し続けるであろうと考えられる。また、ユーザの本棚には既に多くの書籍が並んでいるであろうと考えられる。
【０００４】
ここでユーザが紙の書籍を所有している場合でも、続きを電子端末で読みたい、書籍を処分したい等、同じ内容についてその電子書籍を入手したい場合があり得ると考えられる。このようなときに、紙の書籍の所有者に対して電子書籍を配信する際に再度の課金を行うことはユーザサービスの上でも好ましくない。
【０００５】
このような問題を解決するために、例えば書籍に非接触ICタグを付与し、真の書籍の所有者のみに電子書籍を配信する電子書籍配信システム（例えば特許文献１）が存在する。
【特許文献１】特開２００４−１９２３６９号公報
【発明の開示】
【発明が解決しようとする課題】
【０００６】
しかし、特開２００４−１９２３６９号公報に開示されている電子書籍配信システムは、書籍に非接触ICタグが予め付与されていることが前提であり、非接触ICタグそのものの普及が必要であるという問題点があった。また、既に非接触ICタグなしで販売された書籍については全く効果がないという問題点があった。
【０００７】
本発明はかかる問題点の解決を図ることを目的としてなされたものである。
【課題を解決するための手段】
【０００８】
すなわち請求項１に係る発明は、電子書籍情報を配信するサーバと、配信された前記電子書籍情報を受信する情報端末とで構成される電子書籍情報配信システムであって、前記情報端末は、書籍を特定するための書籍特定情報の入力を行う書籍特定情報入力手段と、前記サーバから受信した書籍認証情報を出力する書籍認証情報出力手段と、前記書籍認証情報を含む書籍を撮像する撮像手段とを備え、前記サーバは、前記書籍特定情報に関連付けられた前記電子書籍情報を有する電子書籍情報保存手段と、前記情報端末から受信した前記書籍特定情報に基づき前記書籍認証情報を生成する書籍認証情報生成手段と、前記情報端末から受信した前記書籍認証情報を含む画像情報の画像認識を行う画像認識手段とを有することを特徴とする電子書籍情報配信システムを提供することにより上記課題を解決するものである。
【０００９】
ここで書籍認証情報生成手段は、サーバ側の機能の１つであり、今現在端末側に存在する書籍を一意に特定するための情報を生成するよう作用する。
【００１０】
画像認識手段は、サーバ側の機能の１つであり、端末から受信した画像情報に確実に前記書籍認証情報が含まれているかどうかを判定するように作用する。
【００１１】
請求項２に係る発明は、請求項１に記載の電子書籍情報配信システムにおいて、前記情報端末は他の情報端末と通信を行う端末間通信手段をさらに有し、受信した前記電子書籍情報を前記端末間通信手段によって前記他の情報端末に送信することを特徴としている。
【００１２】
ここで端末間通信手段は、サーバから受信した電子書籍情報を、閲覧のための専用端末や携帯電話、PDA等の端末に送信するよう作用する。
【００１３】
請求項３に係る発明は、請求項１に記載の電子書籍情報配信システムの書籍認証情報が、前記書籍特定情報および時刻に基づいて生成される二次元コードおよび書籍の特定のページ指定であり、前記撮像手段は、前記ページ指定により指定された書籍のページに前記二次元コードを含む画像を撮像することを特徴としている。
【００１４】
ここで二次元コードは、時刻に基づいて生成されることでユーザの書籍の所有を確実に確認すると共に、画像認識において確実に認識され得るように作用する。
【００１５】
請求項４に係る発明は、請求項１に記載の電子書籍情報配信システムの前記サーバが時間管理手段をさらに有し、前記書籍認証情報生成手段による前記書籍認証情報の生成と、前記画像認識手段による画像認識が所定の時間内に行われない場合は電子書籍情報の配信を行わないことを特徴としている。
【００１６】
ここで時間管理手段は、ユーザの書籍の所有を確実に確認するべく作用する。
【００１７】
請求項５に係る発明は、請求項１に記載の電子書籍情報配信システムの前記サーバが、インターネットに接続するためのネットワーク接続手段および前記電子書籍情報を暗号化する暗号化手段をさらに有し、暗号化された前記電子書籍情報を前記情報端末に対して配信し、暗号解除鍵を前記ネットワーク接続手段によって配信することを特徴としている。
【００１８】
ここで暗号化手段およびネットワーク接続手段は、暗号解除鍵を別途配信することでより確実に書籍の所有者を特定するよう作用する。
【発明の効果】
【００１９】
以上、説明したように、本発明によれば、非接触ICタグ等の識別情報を予め書籍に付与する必要なしに、書籍の真の所有者のみに電子書籍情報を配信することが出来る。
【発明を実施するための最良の形態】
【００２０】
本発明の実施の形態について、図面に基づいて詳細に説明する。
なお、以下に述べる実施の形態は、本発明の好適な具体例であるから、技術的に好ましい種々の限定が付されているものの、本発明の認識範囲は、以下の説明において、とくに本発明を限定する旨の記載がない限り、これらの形態に限られるものではない。
【００２１】
図１は、本発明の実施の形態に係る電子書籍情報配信システムの構成を表す図、図２は本発明の実施の形態に係る電子書籍情報配信システムの受信端末のブロック図、図３は本発明の実施の形態に係る電子書籍情報配信システムの処理の流れを示すフローチャート、図４は書籍に付与される二次元コードの一例、図５は二次元コードの一例であるサイバーコード（登録商標）の認識手順に係るフローチャートである。
【００２２】
まず先に、本実施の形態に係る電子書籍情報配信システムの基本構成を図１および図２を用いて説明する。
【００２３】
図１に示す通り、電子書籍情報配信サーバ２と電子書籍情報受信端末１は回線で接続されている。書籍３を所有するユーザが電子書籍情報受信端末１側から操作をすることで、電子書籍情報配信サーバ２から電子書籍情報の配信を受けることができる。電子書籍情報配信サーバ２には、ユーザが所有する書籍３の電子情報がデータベースとして蓄積されている。
【００２４】
電子書籍情報受信端末１は、図２に示す通りCPU（Central Processing Unit、中央演算処理装置）２１、RAM（Random Access Memory）２２、ROM（Read Only Memory）２３、通信手段２４、撮像手段２５、印刷手段２６、入力インタフェース２７、ディスプレイ２８、メモリカードインタフェース２９およびそれらをつなぐバス２０からなる。
【００２５】
ここで通信手段２４は有線、無線どちらであってもよく、また一般の公衆回線を利用したもの、専用線を利用したもの等、電子書籍情報配信サーバ２と接続し何らかの電子情報の送受信が出来るものであればよい。
【００２６】
撮像手段２５としてはCCD（Charge Coupled Device）あるいはCMOS（Complementary Metal Oxide Semiconductor）を利用したカメラ、イメージスキャナ等を適用することができる。上記に限らず、何らかの方法により光の強弱により表される視覚情報および印刷手段により書籍に付与された書籍認証情報を電気信号に変換することができるものであればよい。
【００２７】
印刷手段２６は、電子書籍情報配信サーバ２から受信した書籍認証情報を紙片あるいは書籍に直接印刷する。印刷するための方法はインクジェット方式、レーザプリント方式、昇華型プリント方式等が適用でき、何らかの方法で紙媒体に上記撮像手段により認識できる情報を付与することができればよい。このとき、上記撮像手段により認識できる情報は、必ずしも視覚的に認識できるものである必要はなく、すかしのように人の目には認識できないものでもよい。
【００２８】
入力インタフェース２７はボタンやキーボード、マウス等が考えられ、電子書籍の配信を受けたい書籍３の情報やユーザ情報等を入力、選択することができればよい。また、書籍に予め付与されている日本図書コード（ISBN）や書籍JANコード（バーコード）を読み取るコードリーダであってもよい。なお、ディスプレイとしてタッチパネルを採用することで入力インタフェースを兼ねることもできる。
【００２９】
メモリカードインタフェース２９は、電子書籍情報配信サーバ２から受信した電子書籍情報を出力するためのインタフェースであり、Memory Stick（メモリースティック：登録商標）などのメモリカードに情報を書き込むことが出来ればよい。ユーザは電子書籍情報が書き込まれたメモリカードを情報処理装置４、例えば電子書籍専用端末やPDA、PCなどに挿入することで、電子書籍情報を閲覧することができる。なお、メモリカードインタフェースを設ける代わりに電子書籍情報受信端末１と情報処理装置４との通信手段を設けてもよい。このときユーザはメモリカードを介することなく、直接電子書籍情報受信端末１から自らの専用端末等に電子書籍情報を受信することができる。なお、通信手段は有線であっても無線であってもよい。
【００３０】
次に本実施の形態に係る電子書籍情報配信システムの処理手順について図３を用いて説明する。
【００３１】
まず電子書籍情報受信端末１の入力インタフェース２７によって、ユーザが配信を受けたい書籍に関する情報が入力される。このとき入力される情報としては、書籍のタイトル、著者、出版社などでもよいし、日本図書コード（ISBNコード）や書籍JANコードなどの書籍を一意に特定するために付された情報でもよい。さらに、また、ユーザが一覧から書籍を選択する形式にしてもよく、入力される情報にはユーザを一意に特定するための会員番号等のユーザ情報が含まれていてもよい。（ステップＳ１）
【００３２】
入力された情報は、通信手段２４を介して電子書籍情報配信サーバ２に送られる。（ステップＳ２）
【００３３】
電子書籍情報配信サーバ２では、受信した情報を元にユーザが配信を希望する書籍３が特定される。そして当該書籍の電子配信が可能な場合は、電子書籍情報配信サーバ２において書籍認証情報が生成される。もし当該書籍の電子情報が存在しない場合は、処理は終了する。（ステップＳ３，Ｓ４）
【００３４】
このとき生成される書籍認証情報としては、２次元コードのような撮像によって情報処理装置による認識が容易であるものが好ましいが、数字列、文字列、通常の画像などでもよく、撮像によって書籍を一意に識別することができる２次元情報であればよい。また、当該情報は、上記ユーザにより入力された情報を受信した時刻に基づいて作成されてもよく、そのときの時刻を保存しておいて後の書籍認証情報確認（ステップＳ９）の際に利用することもできる（後述）。さらに当該情報はユーザによる当該書籍の配信要求回数に基づいて情報を変化させてもよく、情報作成の度にランダムに変化させてもよい。そして書籍認証情報には、当該書籍の特定のページを指定するための情報を含む。このときのページ指定とは、表紙や裏表紙を指定する場合も含む。ここでは、この２次元コードの一種として、本出願人によって開発されたサイバーコード（CyberCode）（登録商標）を例に挙げて説明する。
【００３５】
ここで、図４を参照して、本発明に係るサイバーコードについて説明する。サイバーコードは、図４に示されるように、ロゴマーク部２０１とコード部２０２から構成されており、これらロゴマーク部２０１とコード部２０２の全体は、例えば、１個の正方形状のセルの矩形領域を１ブロックと表現すると、縦方向が９．５ブロックの長さで、横方向が７ブロック分の長さの長方形の領域内に配置されている。
【００３６】
ロゴマーク部２０１は、ロゴマーク、文字、または数字など、サイバーコードに関連する白抜きの可読文字情報が表示されている。ここで、例えば、ロゴマークとしては、サイバーコードのコード体系に付された「CyberCode」など、何を意味するコードなのかを、人間が判読可能なマークとして、白抜き文字で表示される。
【００３７】
コード部２０２は、７×７の全４９個のブロック（またはセル）がマトリクス状に配置されたマトリクス構造を有し、１つのサイバーコードで２４ビットの情報をコード化し得るように構成されている。具体的には、四隅のブロック（コーナセル）およびその周囲の
３ブロックを含む全１６ブロック（１６ビット）はデータを構成せず、また残り３３ブロック（３３ビット）中、９ブロック（９ビット）は、コードデータが正しいコードデータであることを確かめるためのチェックデータを構成する。従って、コード部２０２には、２４ビットのビットコードで表わされるサイバーコードの識別番号（コード番号）が設定される。
【００３８】
コード部２０２は、７×７の全４９個のブロックで構成させる以外に、８×８の全６４個のブロック（またはセル）で構成させるようにしてもよい。これにより、より多くの情報をコード化することが可能になる。
【００３９】
なお、サイバーコードの詳細については、特開２０００−８２１０８号および特開２０００−１４８９０４号公報に開示されている。
【００４０】
図３のフローに戻る。サイバーコードを含む書籍認証情報は、電子書籍情報配信サーバ２から電子書籍情報受信端末１に送信される。（ステップＳ５）
【００４１】
書籍認証情報を受信した電子書籍情報受信端末１は、当該情報に含まれるサイバーコードを印刷手段２６により紙片に印刷する。またページ指定情報をディスプレイ２８に表示する。なお、サイバーコードはユーザが所持する書籍に直接印刷されるようにしてもよい。なおこのときのサイバーコードの大きさは、書籍の大きさに対して非常に小さいものであり、コード部が2cm四方程度の大きさがあれば十分である。（ステップＳ６）
【００４２】
撮像手段２５は、サイバーコードが印刷された上記紙片を含む、指定されたページの画像を撮像する。（ステップＳ７）
【００４３】
撮像手段２５により撮像された画像は、通信手段２４を介して電子書籍情報配信サーバ２に送られる。（ステップＳ８）
【００４４】
上記画像を受信した電子書籍情報配信サーバ２は、画像に含まれるサイバーコードの撮像データを認識してコード部に含まれている情報を取り出し、先に生成したサイバーコードのコード部に埋め込んだ情報との一致を確認する。このとき、先にサイバーコードを生成した際の時刻を保存していた場合、サイバーコードが生成された時刻と、現在時刻とが所定の時間以内（例えば５分以内）である場合のみ、上記一致の確認を行う構成としてもよい。さらに指定したページのサーバが所有する画像と、受信した画像の一致度を計算する。このときの一致度の計算は、相関画像マッチングなどの公知の方法を用いることができる。（ステップＳ９）
【００４５】
上記一致度が所定の閾値以上であって、さらにサイバーコードの情報が一致した場合、ユーザの書籍３の所有が確認されたと認定し、書籍３の電子情報が電子書籍情報配信サーバ２から電子書籍情報受信端末１に送信される。このとき、書籍の電子情報について暗号化を施して送信することもできる。この際の暗号の解除鍵の配信方法については後述する。（ステップＳ１０）
【００４６】
なお、画像中のどの位置にサイバーコードが写っているかは予め予期できないが、例えサイバーコードを含む画像と、サーバ内のサイバーコードを含まない画像のマッチングを行った場合であっても、サイバーコードの大きさは書籍の大きさに比べて小さく、また両者が完全一致する必要もないので、画像内のどの位置にサイバーコードが存在しても、閾値を必要以上に高く設定しない限りは、画像のマッチングを適切に行うことが可能である。
【００４７】
ここで、電子書籍情報配信サーバ２により行われる、サイバーコードのコード部に埋め込んだ情報を取り出すための手順について、図５を参照しつつ説明する。
【００４８】
ステップＳ２１において、所定の輝度値を示す閾値の設定をカウントするカウンタｉの値に１が初期設定される。設定番号１に示される閾値Ａの値が最も大きい値に設定され、設定番号５に示される閾値Ｅに向かって、段階的に値が小さくなるように設定されている。
【００４９】
ステップＳ２２において、カウンタｉの値に対応する設定番号の閾値に基づいて、画像データに対して２値化処理が行われる。ここで、閾値より大きい輝度を保持する画素の画素値は、”０”に符号化され、表示上、その画素は白色とされる。以下においては、このように、画素値が”０”に符号化された画素を、白色画素と称する。
【００５０】
一方、閾値以下の輝度値を保持する画素の画素値は、”１”に符号化され、表示上、その画素は黒色とされる。以下においては、このように、画素値が”１”に符号化された画素を、黒色画素と称する。
【００５１】
次に、ステップＳ２３において、黒色画素が連結する領域を１つの領域として、左上から右下に向かって番号を設定（ラベリング）する。
【００５２】
ステップＳ２４において、ステップＳ２３でラベリングした黒色画素連結領域の総数Ｍを求め、求めた黒色画素連結領域の総数Ｍが２５７個以上であるか否かを判定し、総数Ｍが２５７個以上であると判定した場合、すなわち、画像データが、以降の処理を実行するのに適さない画像であると判定した場合、ステップＳ２５に進む。ここで、以降の処理を実行するのに適さない画像とは、いわゆるディザ状の画像と呼ばれる砂粒のような点を多量に含む画像であり、このようなディザ状の画像に対して無理に認識処理を進めようとすると、演算処理に要するCPUの負荷が大となってしまう。そこで、このようなディザ状の画像の場合は、そのまま認識処理を進めずに、ステップＳ２５へ進むようにしてある。
【００５３】
ステップＳ２５において、カウンタｉの値が、閾値の設定数Ｎ（＝５）と等しい（ｉ＝５）か否かを判定し、ｉ＝５ではないと判定した場合、ステップＳ２６において、カウンタｉの値を１だけ増加した後、ステップＳ２２に戻る。ステップＳ２２において、１つだけ増加されたカウンタｉの値に対応する設定番号の閾値に基づいて、画像データに対して、再度、２値化処理を実行する。
【００５４】
上述したように、設定番号１で示される閾値Ａは、最も値が大きい閾値であり、すなわち、この最も大きい値が２値化処理の閾値とされると、画像データの多くの画素の輝度が、閾値Ａよりも相対的に小さい値となり、その結果多くの画素が黒色画素と認識され、これにより、黒色画素連結領域の総数Ｍも多くなる。そこで、ステップＳ２５で、カウンタｉの値が１つ増加され、１段階小さい値の閾値が、次の２値化処理の閾値とされると、黒色画素として認識される画素が少なくなる。
【００５５】
このように、最初に、より大きい閾値で、大きい輝度値を基準として２値化処理を行うことより、フレーム全体が比較的明るい画像に適する２値化処理を実行することができ、さらに、閾値を段階的に小さくし、より小さい輝度値を基準として２値化処理を行うことにより、フレーム全体が比較的暗い画像に適する２値化処理を実行することができる。このように、閾値を５段階に分け、この閾値を段階的に変更することによって、画像フレーム全体に明るさの変動があった場合であっても、常に精度の高い２値化データを生成することができるようになっている。
【００５６】
ステップＳ２５において、ｉ＝５であると判定した場合、すなわち、閾値Ａ乃至Ｅのいずれの閾値によっても、適当な総数Ｍの黒色画素連結領域が生成されない場合、この１フレーム分の画素データには、サイバーコードが存在しないものと判定され、処理が終了される。
【００５７】
ステップＳ２４において、黒色画素連結領域の総数Ｍが２５７個より少ないと判定された場合、ステップＳ２７に進む。
【００５８】
ステップＳ２７において、ロゴマーク部検出処理が実行される。この結果、ロゴマーク部２０１が検出されたか否かが判定され、検出されたと判定された場合、ステップＳ２８に進み、コード部検出処理が実行される。
【００５９】
コードデータ検証処理が完了されると、ステップＳ２９に進み、算出したコードデータの値を出力し、サイバーコード認識処理は終了される。
【００６０】
ステップＳ２７において、ロゴマーク部２０１が検出されていないと判定された場合、ステップＳ２８において、コード部２０２が検出されていないと判定された場合、今回２次元コード認識処理の対象とされた画像データには、サイバーコードが存在しないものとされ、処理は終了される。
【００６１】
図３のフローに戻る。電子書籍情報受信端末１は、電子書籍情報配信サーバ２から受信した電子書籍情報を、メモリカードインタフェース２９により、メモリカードに書き込む。ユーザはこのメモリカードを他の情報処理装置４にて使用することにより、電子書籍情報を閲覧することができる。（ステップＳ１１）
【００６２】
なお、メモリカードを介さずに、電子書籍情報受信端末１と、ユーザの他の情報処理装置４を通信手段（図示せず）により接続し、直接電子書籍情報を送信することもできる。このときの通信手段は有線・無線を問わない。
【００６３】
ここで、受信した電子書籍情報が暗号化されていた場合、暗号解除のための解除鍵の情報は、サーバからインターネット等を通じて直接ユーザの他の情報処理装置に送信される。これにより、例えば、ユーザが上記の方法により電子書籍情報を受信した後、その書籍３そのものを電子書籍の配信元の会社に郵送した場合のみ、そのユーザに解除鍵を送信するといったことが可能となる。
【図面の簡単な説明】
【００６４】
【図１】本発明の電子書籍情報配信システム全体に係る概念図
【図２】本発明の電子書籍情報受信端末の構成を示すブロック図
【図３】本発明の実施の形態に係るフローチャート図
【図４】本発明の実施の形態に係る二次元コードの一例であるサイバーコードを示す図
【図５】本発明の実施の形態に係るサイバーコードの認識手順に係るフローチャート図
【符号の説明】
【００６５】
１    電子書籍情報受信端末
２    電子書籍情報配信サーバ
３    書籍
４    情報処理装置
２１  CPU
２２  RＡM
２３  RＯM
２４  通信手段
２５  撮像手段
２６  印刷手段
２７  入力インタフェース
２８  ディスプレイ
２９  メモリカードインタフェース
【図１】
2007108851.tif 000003
【図２】
2007108851.tif 000004
【図３】
2007108851.tif 000005
【図４】
2007108851.tif 000006
【図５】
2007108851.tif 000007